(57)【要約】【課題】  高い光沢性や良好なインク吸収性を有すると共に、発色性や色再現性にも優れた良好な画像品質を得られるインクジェット記録媒体及びその製造方法を提供する。【解決手段】  このインクジェット記録媒体は、支持体上に、平均粒子径１０ｎｍ〜５００ｎｍの無機微粒子を主成分とするインク受理層と該インク受理層上にポリマー分散物を塗工してなる光沢層とを有し、前記ポリマー分散物が、単量体成分として、少なくともカチオン性単量体、（メタ）アクリルアミド、スチレン、及びメチルメタクリレートを共重合反応させ架橋していないスチレン・アクリル系ポリマー微粒子の分散物であると共に、該ポリマー分散物中のポリマー微粒子が粒子形状を保ったまま前記インク受理層上に存在して前記光沢層を形成している。【選択図】    図１
2004175113.tif 000002
【特許請求の範囲】
【請求項１】
支持体上に、平均粒子径１０ｎｍ〜５００ｎｍの無機微粒子を主成分とするインク受理層と該インク受理層上にポリマー分散物を塗工してなる光沢層とを有するインクジェット記録媒体であって、前記ポリマー分散物が、単量体成分として、少なくともカチオン性単量体、（メタ）アクリルアミド、スチレン、及びメチルメタクリレートを共重合反応させ架橋していないスチレン・アクリル系ポリマー微粒子の分散物であると共に、該ポリマー分散物中のポリマー微粒子が粒子形状を保ったまま前記インク受理層上に存在して前記光沢層を形成していることを特徴とするインクジェット記録媒体。
【請求項２】
前記ポリマー分散物中のスチレン・アクリル系ポリマー微粒子の平均粒子径が１００〜２００ｎｍである、請求項１に記載されたインクジェット記録媒体。
【請求項３】
前記無機微粒子が、前記インク受理層を形成する塗工液に分散した状態で一次粒子径１０〜１００ｎｍの球状コロイダルシリカが複数個凝集したコロイダルシリカである、請求項１又は２に記載されたインクジェット記録媒体。
【請求項４】
前記光沢層側表面の７５度鏡面光沢度が５０％以上である、請求項１〜３の何れかに記載されたインクジェット記録媒体。
【請求項５】
前記支持体と前記インク受理層の間に、合成シリカと親水性バインダーからなるアンダー層を設けてなる、請求項１〜４の何れかに記載されたインクジェット記録媒体。
【請求項６】
前記ポリマー分散物が、単量体成分として、前記カチオン性単量体を２〜３０重量％含有する、請求項１〜５の何れかに記載されたインクジェット記録媒体。
【請求項７】
支持体上に、必要に応じて微粒子合成シリカと親水性バインダーとからなるアンダー層を設けた後、該アンダー層上に平均粒子径１０ｎｍ〜５００ｎｍの無機微粒子を主成分とするインク受理層を設け、次いで、単量体成分として、少なくともカチオン性単量体、（メタ）アクリルアミド、スチレン、及びメチルメタクリレートを共重合反応させ架橋していないスチレン・アクリル系ポリマー微粒子の分散物であるポリマー分散物を該インク受理層上に塗工・乾燥して光沢層を設けた後、該光沢層表面に４０℃以下で常温以上でソフトカレンダー処理あるいはマシンカレンダー処理を行うことを特徴とするインクジェット記録媒体の製造方法。
【請求項８】
支持体上に、必要に応じて微粒子合成シリカと親水性バインダーとからなるアンダー層を設けた後、該アンダー層上に平均粒子径１０ｎｍ〜５００ｎｍの無機微粒子を主成分とするインク受理層を設け、次いで、単量体成分として、少なくともカチオン性単量体、（メタ）アクリルアミド、スチレン、及びメチルメタクリレートを共重合反応させ架橋していないスチレン・アクリル系ポリマー微粒子の分散物であるポリマー分散物を該インク受理層上に塗工・乾燥して光沢層を設けた後、カレンダー処理を行わないことを特徴とするインクジェット記録媒体の製造方法。
【発明の詳細な説明】
【技術分野】
【０００１】
本発明はインクジェット記録媒体に関し、特に、高い光沢性やインク吸収性を有すると共に、発色性や色再現性にも優れた、良好な画像品質を得られるインクジェット記録媒体に関する。
【背景技術】
【０００２】
インクジェット記録方式は、フルカラー化が容易なことや印字騒音が少ないことなどから近年急速に普及してきた。この方式はノズルから記録媒体に向けてインクの微小液滴を高速で飛翔、付着させて画像や文字などの記録を行うものであり、インク中には多量の溶媒を含む。従って、記録媒体としては速やかにインクを吸収する必要がある。また、最近のコンピューターやデジタルカメラの普及により、銀塩写真に近い画像が求められるようになってきている。そこで、インクジェット記録用紙には高い発色性、解像度及び色再現性が必要となり、これに対応するため表面にインク受理層を設けたいわゆる塗工紙が開発されている。
【０００３】
高い発色性、解像度及び色再現性を持つ銀塩写真に近い画像をインクジェット記録方式で得るために、記録用紙に光沢を持たせることが従来から行われている。光沢のあるインクジェット記録用紙を得るための従来技術としては、例えば、インク受理層の上に粒子径が３００ｎｍ以下のコロイド粒子の層を設け、７５度鏡面光沢度が２５%以上という光沢度を持たせたり、支持体上にコロイダルシリカと接着剤を含有するインク受理層を２層以上設ける方法、あるいはインク受理層を２層以上にして上層を光沢発現層にする方法等が開示されている（例えば特許文献１〜６等）。本発明者らも、支持体、及び該支持体上に順次設けたインク吸収層及びコロイダルシリカ層とからなるインクジェット記録用紙を既に提案した（特許文献７）。
【０００４】
【特許文献１】特開平７−１０１１４２号公報
【特許文献２】特開平９−１８３２６５号公報
【特許文献３】特開平３−２１５０８０号公報
【特許文献４】特開平３−２５６７８５号公報
【特許文献５】特開平７−８９２２０号公報
【特許文献６】特開平７−１１７３３５号公報
【特許文献７】特開２０００−１９０６２６号公報
【０００５】
上記の如く、一般に光沢感を付与するためには、粒子径の小さな顔料である、シリカなどのコロイド粒子とバインダーを用いる手法が多く行われているが、球状のコロイド粒子を用いると造膜後の空隙が小さくなるのでインク吸収速度が小さくなるという欠点がある。また、コロイダルシリカは合成非晶質シリカとは異なって内部空隙を持たないので、コロイダルシリカをインク受理層に使用する場合には、必要とされるインク吸収容量を得るためにインク受理層を厚くする必要がある。しかしながら、インク受理層を厚くすると粉落ち現象が発生しやすくなる。そこでバインダーの配合量を増やして粉落ちを防止した場合には、特に表面でのインク吸収速度が遅くなってブリード現象が発生し、高解像度の印字画像が得られないという欠点があった。
【０００６】
さらに、スーパーカレンダーやグロスカレンダー方式、すなわち圧力や温度をかけたロールに単純に通紙することにより、高光沢を付与する方法もある。しかしながらコロイダルシリカはもとより、一般にインク受理層に用いられる無機顔料には熱可塑性が無いため、上記のようにカレンダー処理を行っても無機顔料は変形しないから、所望する高光沢が得られないばかりか、塗工層の空隙が減少してインク吸収性が悪化するという欠点があった。
【０００７】
一方、インク吸収性、発色濃度、光沢に優れる記録シートを得ることを目的に、シート状支持体上に重量平均粒子径が１〜１０００ｎｍであるカチオン性有機粒子を含有する層を少なくとも１層以上有するインクジェット記録シートが知られている。しかし、この場合、カチオン性有機微粒子を含有する層はインク受理に関わる層であり、塗工量は２０ｇ／ｍ２程度必要とする。また、光沢を付与するために、カチオン性有機微粒子のガラス転移温度とほぼ同じ温度でカレンダー処理を行うことを必要とする（特許文献８）。このため、得られたインクジェット記録シートはいまだインク吸収は不十分であった。
さらに、光沢を付与する目的で、（メタ）アクリルアミドを含むアクリル・スチレン系ポリマー分散物を、インク透過性が生ずるように塗布したインクジェット記録用紙が知られている。この場合には前記ポリマー分散物が特に水溶性の(メタ)アクリルアミドを共重合しているので、特にインクの浸透性が良好となる。更に、スチレン、アクリル系モノマーを主成分として共重合させているので、ガラス転移温度が室温に比べ十分に高い粒子となる上、特に重合時に反応性乳化剤を使用することにより、得られた共重合体の溶融温度以下でもポリマー粒子同士が点接着し、空隙を保った層となるので、空隙を利用してインクの浸透が図られる（特許文献９）。しかしながら、上記ポリマー分散物を用いた場合には、記録画像の発色性及び色再現性に劣ると言う欠点があった。
【０００８】
【特許文献８】特開２００２−０８６９０５号公報
【特許文献９】特開２００１−２７７７０４号公報
【発明の開示】
【発明が解決しようとする課題】
【０００９】
上記したように、インクジェット記録媒体のインク吸収性と光沢性、さらには発色性や色再現性といった相反する特性の全てを良好にすることは、従来は極めて困難であった。
従って、本発明の第１の目的は、高い光沢性や良好なインク吸収性を有すると共に、発色性や色再現性にも優れた良好な画像品質を得られるインクジェット記録媒体を提供することにある。
本発明の第２の目的は、高い光沢性や良好なインク吸収性を有すると共に、発色性や色再現性にも優れたインクジェット記録媒体の製造方法を提供することにある。
【課題を解決するための手段】
【００１０】
本発明者らは、上記の課題を解決するために鋭意検討を行った結果、支持体上に平均粒子径１０ｎｍ〜５００ｎｍの無機微粒子を主成分とするインク受理層を設け、該インク受理層上に特殊なポリマー分散物を塗工することにより、高い光沢性、良好なインク吸収性、発色性、及び色再現性を有するインクジェット記録媒体を得ることが出来ることを見出し、本発明に到達した。
すなわち本発明は、支持体上に、平均粒子径１０ｎｍ〜５００ｎｍの無機微粒子を主成分とするインク受理層と該インク受理層上にポリマー分散物を塗工してなる光沢層とを有するインクジェット記録媒体であって、前記ポリマー分散物が、単量体成分として、少なくともカチオン性単量体、（メタ）アクリルアミド、スチレン、及びメチルメタクリレートを共重合反応させ架橋していないスチレン・アクリル系ポリマー微粒子の分散物であると共に、該ポリマー分散物中のポリマー微粒子が粒子形状を保ったまま前記インク受理層上に存在して前記光沢層を形成していることを特徴とする。
前記ポリマー分散物中のスチレン・アクリル系ポリマー微粒子の平均粒子径が１００〜２００ｎｍであることが好ましい。又、前記無機微粒子が、前記インク受理層を形成する塗工液に分散した状態で一次粒子径１０〜１００ｎｍの球状コロイダルシリカが複数個凝集したコロイダルシリカを含有することが好ましい。
前記光沢層側表面の７５度鏡面光沢度が５０％以上であることが好ましく、前記支持体と前記インク受理層の間に、合成シリカと親水性バインダーからなるアンダー層を設けてなることが好ましい。又、前記ポリマー分散物が、単量体成分として、前記カチオン性単量体を２〜３０重量％含有することが好ましい。
本発明のインクジェット記録媒体の製造方法は、支持体上に、必要に応じて微粒子合成シリカと親水性バインダーとからなるアンダー層を設けた後、該アンダー層上に平均粒子径１０ｎｍ〜５００ｎｍの無機微粒子を主成分とするインク受理層を設け、次いで、単量体成分として、少なくともカチオン性単量体、（メタ）アクリルアミド、スチレン、及びメチルメタクリレートを共重合反応させ架橋していないスチレン・アクリル系ポリマー微粒子の分散物であるポリマー分散物を該インク受理層上に塗工・乾燥して光沢層を設けた後、該光沢層表面に４０℃以下で常温以上でソフトカレンダー処理あるいはマシンカレンダー処理を行うことを特徴とする。
又、本発明のインクジェット記録媒体の製造方法は、支持体上に、必要に応じて微粒子合成シリカと親水性バインダーとからなるアンダー層を設けた後、該アンダー層上に平均粒子径１０ｎｍ〜５００ｎｍの無機微粒子を主成分とするインク受理層を設け、次いで、単量体成分として、少なくともカチオン性単量体、（メタ）アクリルアミド、スチレン、及びメチルメタクリレートを共重合反応させ架橋していないスチレン・アクリル系ポリマー微粒子の分散物であるポリマー分散物を該インク受理層上に塗工・乾燥して光沢層を設けた後、カレンダー処理を行わないことを特徴とする。
【発明の効果】
【００１１】
本発明により、高い光沢性と良好なインク吸収性を有すると共に、発色性及び色再現性にも優れた良好な画像品質を有するインクジェット記録媒体が得られる。
【発明を実施するための最良の形態】
【００１２】
本発明のインクジェット記録媒体の支持体は特に制限されるものではなく、木材繊維を主体とする紙、ポリエチレンなどのプラスチック類、又は木材繊維や合成繊維を主体とした不織布のようなシート状物質が挙げられる。紙の場合には、内添サイズ剤や填料を適宜添加することが出来る他、サイズプレスの有無等何等制限されるものではない。本発明においては、特にインク吸収性に優れた紙を使用することが望ましい。
【００１３】
本発明の支持体として使用される紙の原料となる木材パルプとしてはLBKP、NBKP等の化学パルプ、GP、PGW、RMP、TMP、CTMP、CMP、CGP等の機械パルプ、DIP等の古紙パルプ等が含まれる。本発明においては、これらの木材パルプに、必要に応じて公知の填料やバインダー、サイズ剤、定着剤、歩留まり向上剤、紙力増強剤等の各種添加剤を1種以上混合し、長網抄紙機、円網抄紙機、ツインワイヤー抄紙機等の各種抄紙機にて紙匹を形成した後、乾燥させることによって支持体となる紙を得ることができる。
【００１４】
本発明のインク受理層は、平均粒子径１０ｎｍから５００ｎｍの無機微粒子を主成分とする。平均粒子径がこの範囲であると、塗膜を形成した場合に粒子が密な状態で存在可能となり、インクジェット記録媒体の光沢が高くなる。より好ましい平均粒子径の範囲は４０〜３００ｎｍである。平均粒子径が可視光線の波長より小さい（３００ｎｍ以下）であると、散乱が起こりにくくインク受理層の透明性が向上し、印字した際の発色性が向上する。
この様な微粒子としては、コロイダルシリカや合成シリカを機械的に粉砕して得られるシリカゾル、気相法シリカ等のシリカ微粒子やアルミナゾル、気相法アルミナ等のアルミナ微粒子を用いることができる。本発明においてはシリカ微粒子を使用することが好ましく、特にコロイダルシリカが好ましく用いられる。コロイダルシリカとは、湿式法で合成された一次粒子径が数ｎｍ〜１００ｎｍ程度の合成シリカであり、凝集して非球状の二次粒子となる場合も含まれる。また、球状のコロイダルシリカ粒子の表面にアクリル系高分子を結合させたコア／シェル構造の粒子を水性溶媒中に分散させた水性分散体もコロイダルシリカに含まれる。なお、これらの場合、それぞれ上記二次粒子径、コア／シェル構造の内径が無機微粒子の平均粒子径となる。
コロイダルシリカは、密に詰まることによって塗工層強度も高いものとなる。また、インク受理層は２層以上の多層で構成することも出来る。また、必要に応じて、２種以上のコロイダルシリカを混合して使用することも可能である。なお、通常、インク受理層は、無機微粒子が主成分で、その他の助剤を従成分としている。
【００１５】
また、コロイダルシリカ粒子は一次粒子の形状が球状であることからそれ自体がある程度の造膜性を有し、その傾向は粒子径が小さいものほど顕著である。粒子径の大きな球状コロイダルシリカを用いた場合には、造膜性を確保するためにバインダーが必要となり、コロイダルシリカ層のインク吸収速度がかえって小さくなる。一方粒子径の小さい球状コロイダルシリカは、造膜性は良いが、造膜後の粒子間の空隙が小さくなるのでインク吸収速度は小さい。
【００１６】
本発明においては、インク受理層の無機微粒子として、インク受理層を形成するための塗工液中に二次粒子として存在するコロイダルシリカを用いることが好ましい。この様なコロイダルシリカを用いると、インク定着性が向上する。この理由は明確ではないが、光沢層に適度な空隙ができるからと考えられる。なお、コロイダルシリカが二次粒子として存在するとは、インク受理層用塗工液に分散した状態で、一次粒子径１０〜１００ｎｍの球状シリカの一次粒子が複数個凝集したものをいう。この様なコロイダルシリカとしては、一次粒子が数個ないし十数個鎖状に連結した鎖状コロイダルシリカ（日産化学工業株式会社社製スノーテックスＵＰシリーズ、ＯＵＰシリーズ）や、一次粒子が数個ないし十数個ネックレスのように環状に凝集したパールネックレス状コロイダルシリカ（日産化学工業株式会社社製スノーテックスＰＳシリーズ）、ブドウの房状に連結した房状コロイダルシリカ（日産化学工業株式会社社製スノーテックスＨＳシリーズ）を挙げることができる。
ここで、「房状」とは、二次粒子として凝集したコロイダルシリカの短手方向（凝集体の最も長い方向と垂直な方向）から見ると、実質的に少なくとも２個の球状コロイダルシリカが結合している部分があることをいう。又、「鎖状」とは、長手方向に複数個のコロイダルシリカがつながるが、短手方向に１個のコロイダルシリカしかない状態である。また、「パールネックレス状」とは、鎖状のコロイダルシリカが環になった状態である。なお、分散した状態のコロイダルシリカを観察した場合に、凝集しない単体のコロイダルシリカが存在していてもよい。
【００１７】
本発明において、凝集して二次粒子となっているコロイダルシリカをインク受理層に使用すると、造膜時にコロイダルシリカ同士が適度に絡み合い、バインダーを使用しなくてもシリカ粒子の脱落が抑制されるのみならず、特に大きなインク吸収速度を必要とするフォトタイプインクジェットプリンターへ使用する際に求められるような、適度な大きさの空隙を得ることができる。なお、コロイダルシリカの平均一次粒子径や平均二次粒子径は、動的光散乱光度計を用いて測定することができる。
【００１８】
前記インク受理層の表面には、光沢層が設けられる。本発明の光沢層（カチオン性ポリマー分散物を含有する塗工液を塗工して設けられる層）は、主に記録用紙に光沢を付与する役割を持ち、また、インク吸収層のインク吸収性を阻害しないことが求められため、薄く均一に設けられることが好ましい。このため、光沢層の下のインク受理層に用いられる無機顔料の粒子径が大きいと、その顔料の凹凸形状が光沢層に反映されることになり、光沢性が向上しない。従って、本発明におけるインク受理層には、上記した粒子径の小さな（１０ｎｍ〜５００ｎｍ）無機微粒子を顔料として用いる。
【００１９】
本発明においてインク受理層にコロイダルシリカを用いる場合、もともとコロイダルシリカはそれ自体で造膜性を有しているため、必ずしもインク受理層中に結着剤を必要としないが、必要に応じて結着剤を用いる。上記結着剤としては、例えばポリビニルアルコール、カゼイン、ゼラチンなどの水溶性高分子、またはＳＢラテックス、ＮＢラテックス、アクリル系ラテックス、酢酸ビニル系ラテックス等の水分散性高分子を用いることが出来る。結着剤の配合部数は、コロイダルシリカ１００重量部に対し、０〜１０重量部であることが好ましく、特に０〜５重量部であることが好ましい。結着剤の配合部数が１０重量部より多いと表面強度は上昇するものの、インク吸収性や光沢度が低下する。
【００２０】
本発明のインク受理層には、更にカチオン性化合物を含有させることが好ましい。本発明で使用されるカチオン性化合物とは、水性染料インク中に含有される水溶性直接染料や水溶性酸性染料中のスルホン酸基、カルボキシル基等と不溶な塩を形成する２級アミン、３級アミンあるいは４級アンモニウム塩を含有するいわゆる染料定着剤である。カチオン性化合物は単独または２種以上を組み合わせて用いても良い。
本発明においては、インク受理層中に助剤として、更に、サイズ剤、界面活性剤、顔料分散剤、増粘剤、流動性改良剤、消泡剤、抑泡剤、離型剤、発泡剤、浸透剤、着色染料、蛍光増白剤、紫外線吸収剤、酸化防止剤、防腐剤、防バイ剤、耐水化剤、保水剤などを適宜配合することもできる。
【００２１】
インク受理層の塗工量は、インク受理層のインク吸収容量及び実用に耐えられる程度のインク受理層と支持体の接着強度を基準に決定することができる。インク受理層１層あたりの乾燥塗工量は１〜１２ｇ／ｍ2であることが好ましく、より好ましくは２〜１０ｇ／ｍ2である。１層あたりの乾燥塗工量が１ｇ／ｍ2未満であると、塗工面の均一性が不十分となる。一方、１層あたりの乾燥塗工量が１２ｇ／ｍ2を超えると、粉落ちが発生する上乾燥後の塗工層にひび割れが多くなり、印字の際にインクがひび割れの溝に沿って表面を流れる現象が発生し、画像が乱れるので好ましくない。
【００２２】
本発明においては、支持体上に設けられるインク受理層の層構成及び各層の成分構成については、特に限定されるものではない。すなわち、インク受理層を支持体の片面あるいは両面に複数回インク受理層用塗工液を塗工し、インク受理層を２層以上設けてもよい。この場合、それぞれのインク受理層は上記した乾燥塗工量となるよう設けられる。なお、同一成分の塗工液を複数回塗工した場合、みかけ上インク受理層は１層となることもある。また、本発明において、支持体の片面にインク受理層を設けた場合、その反対側の面にカール矯正あるいは搬送性改良等の目的で塗工層を設けることも可能である。
【００２３】
本発明においては、インクジェット記録媒体のインク吸収性や画質の向上のために、インク受理層と支持体の間に、更にアンダー層を設けることが好ましい。アンダー層に用いる顔料としては合成シリカ、アルミナやアルミナ水和物（アルミナゾル、コロイダルアルミナ、擬ベーマイト等）、珪酸アルミニウム、珪酸マグネシウム、炭酸マグネシウム、軽質炭酸カルシウム、重質炭酸カルシウム、カオリン、タルク、硫酸カルシウム、二酸化チタン、酸化亜鉛、炭酸亜鉛、珪酸カルシウム、水酸化アルミニウム等の無機顔料はもとより、スチレン系プラスチックピグメント、アクリル系プラスチックピグメント、尿素樹脂等の有機白色顔料等も使用することが出来る。これらの中では平均粒子径が５μｍ以下の微粒合成シリカが最も好ましい。また、アンダー層の結着剤としては、前記したインク受理層の場合と同様のものが好ましく用いられる。
【００２４】
アンダー層の塗工量は、目的に応じて適宜決定することができるが、本発明においては、乾燥塗工量が５〜３０ｇ／ｍ2の範囲にあることが好ましい。乾燥塗工量が５ｇ／ｍ2に満たないと、アンダー層である塗工層が支持体表面を完全に覆うことが難しいので、塗工層によるインクの吸収ムラが発生し、印字性能に悪影響が生じる。また、乾燥塗工量が３０ｇ／ｍ2を超えると、インク受理層と支持体間の接着強度が実用に耐えられないレベルとなり、粉落ちと呼ばれる、支持体からの塗工層の剥離等が発生し、重大な問題が生じる。
【００２５】
本発明においては、インクジェット記録媒体の光沢性及び発色性を更に向上させるために、インク受理層の上に、カチオン性ポリマーの分散物を、インク透過性を有するように塗工して光沢層を設ける。上記カチオン性ポリマーの分散物とは、単量体成分として、少なくともカチオン性単量体、（メタ）アクリルアミド、スチレン、及びメチルメタクリレートを共重合反応させた、架橋していないスチレン・アクリル系ポリマー微粒子の分散物である。その製造方法の概略は以下の通りである。
【００２６】
単量体の種類と好ましい重量割合は、(メタ)アクリルアミド２〜２０重量％、スチレン２０〜６０重量％、メチルメタクリレート２０〜６０重量％、カチオン性単量体２〜３０重量％、その他のエチレン性単量体０〜２０％で、これらの範囲で全体が１００％になるように調整する。但し、上記に示す割合は、各化合物の仕込み量の範囲を表したものである。ここで用いるカチオン性の単量体としては、N,N−ジメチルアミノエチル（メタ）アクリレート、N,N−ジエチルアミノエチル（メタ）アクリレート、N,N−ジメチルアミノプロピル（メタ）アクリレート、N,N−ジメチルアミノ−２−ヒドロキシプロピル（メタ）アクリレート、N,N−ジメチルアミノプロピル（メタ）アクリルアミドなどの第三級アミンを有するカチオン性ビニル単量体が挙げられ、さらに、（メタ）アクリロイルオキシエチルトリメチルアンモニウムクロライド、（メタ）アクリロイルオキシエチルジメチルベンジルアンモニウムクロライド、（メタ）アクリロイルオキシエチルトリエチルアンモニウムクロライド、（メタ）アクリロイルオキシエチルジエチルベンジルアンモニウムクロライド、（メタ）アクリロイルオキシプロピルトリメチルアンモニウムクロライド、（メタ）アクリルアミドプロピルトリメチルアンモニウムクロライド、（メタ）アクリルアミドプロピルジメチルベンジルアンモニウムクロライド、（メタ）アクリルアミドプロピルジエチルベンジルアンモニウムクロライド、２−ヒドロキシ−３−（メタ）アクリルアミドプロピルトリメチルアンモニウムクロライドなどの第四級アンモニウム塩を有する単量体などが挙げられる。
その他のエチレン性単量体としては、(メタ)アクリル酸エチルなどの低級エステル、(メタ)アクリル酸、イタコン酸などカルボキシル基含有単量体、スチレンスルホン酸などのスルホン酸基含有単量体などがある。
【００２７】
本発明におけるカチオン性ポリマー分散物の合成は、カチオン性若しくはノニオン性の乳化剤水溶液中に、（メタ）アクリルアミド、及び上述したカチオン性単量体と、チオグリコール酸などの連鎖移動剤を混合溶解し、この水溶液中にスチレン、メチルメタクリレート、その他のエチレン性単量体の混合物を滴下もしくは混合し、加温攪拌しながらカチオン系重合開始剤を添加して重合させ、重合反応終了後に中和して行う。重合温度も含めた、種々の反応条件を適宜選択することにより、平均粒子径が１００〜２００ｎｍ程度のポリマー粒子が分散したポリマー分散物が得られる。前記範囲の組成で重合して得られたポリマー粒子は、常温で非造膜性ポリマー粒子であり、かつ架橋していない。従って通常の乾燥工程で使用される以上の温度や無理な摩擦熱を掛けることなく乾燥又は処理すれば、親水性やカチオン性の官能基を粒子表面に有すると共に、ポリマー粒子間に空隙を維持した、インク透過性を有する光沢層を形成することができる。なお、ポリマー粒子の平均粒子径はコロイダルシリカと同様、動的光散乱光度計を用いて測定することができる。
【００２８】
ここで「ポリマー分散物中のポリマー微粒子が粒子形状を保ったまま」とは、造膜後の光沢層の表面を観察した場合に、各ポリマー粒子の形状がポリマー分散物に分散した状態のポリマー微粒子形状を損なわず、隣接する他のポリマー粒子との融着によってポリマー粒子間の境界部分が消失しないことをいう。このようにすると、隣接するポリマー粒子が表面同士で接触し、あるいは表面の一部で点接着して結合するが、両者が融着して境界が消失することはないので、粒子間の境界部分に微小な空隙が存在してインク吸収性が良好になると考えられる。一方、「ポリマー微粒子が粒子形状を保たない」場合とは、例えば、ポリマー粒子が隣接する他のポリマー粒子と融着し、両者の境界部がほぼ一体化して境界が不明瞭になる場合が挙げられる。このような場合、造膜後の光沢層の表面を観察すると、例えば、各粒子が溶け合って境界が消失した一様な面となる。
【００２９】
図１は、表面からみたときの本発明の光沢層の一例を示す写真を示した図である。この図において、図の左上領域では、もともと球状のポリマー微粒子が略六角形（密に充填される形状）に変形し、隣接粒子とわずかな隙間を介して接触しているが、この場合でも粒子間の境界が融着して消失することはない。一方、図の下領域では、ポリマー微粒子がほぼ分散時の球状を保ち、隣接粒子と点接触している。この場合、粒子間の境界の空隙はやや大きくなっている。この場合も粒子間の境界が明瞭に見られる。
【００３０】
本発明におけるカチオン性ポリマー分散物の合成では、炭素−炭素二重結合を１分子内に２個以上有する単量体、すなわち架橋性を有する単量体や乳化剤は使用せず、架橋していないポリマー粒子を得る。ポリマー粒子を架橋させると、ポリマー粒子の、特に表層部分が硬くなり、塗工乾燥時のレベリングが起こりにくくなる。そのため塗工層表面の平滑性は低くなり、高い光沢発現効果は殆ど得られず、所望する高光沢を有するインクジェット記録媒体を得ることは困難となる。また、ポリマーのガラス転移温度（Ｔｇ）は、ポリマー中に含まれる各単量体のホモポリマーのガラス転移温度（Ｔｇｎ：Ｆｏｘの式において単位は絶対温度Ｋ）及び各単量体の重量分率（ｗｎ）を用いて、下記のＦｏｘの式により求められる。
１/Ｔｇ＝ｗ１/Ｔｇ１＋ｗ２/Ｔｇ２＋…＋ｗｎ/Ｔｇｎ
【００３１】
上記カチオン性ポリマーの分散物を用いて、インク吸収性に優れたインクジェット記録媒体を製造する本発明においては、前記支持体上に必要に応じてアンダー層を設け、その上にインク受理層としてコロイダルシリカを塗工、乾燥した下塗り紙を調製し、次いで上記カチオン性ポリマーの分散物、及び必要に応じて上記カチオン性ポリマーを結合するための親水性バインダーを０〜１０重量％混合した液を前記下塗り紙の表面に塗工し、光沢層を設ける。
【００３２】
本発明における光沢層は薄く均一に塗工することが好ましく、片面当りの塗布量が固形分換算で０．３〜３．０ｇ／ｍ2程度となるように塗工、乾燥される。均一に塗工した場合には、塗工量が少なくても光沢度は向上するが、０．３ｇ／ｍ2未満では均一なポリマー微粒子層が形成できない恐れがあり、逆に、塗工量が多すぎると、前記したポリマー微粒子間の空隙を維持することが出来ないのでインク吸収性が悪化する。
【００３３】
アンダー層、インク受理層又は光沢層を支持体表面やインク受理層表面に設けるために、本発明においては、一般的な塗工装置である各種ブレードコーター、ロールコーター、エアーナイフコーター、バーコーター、ゲートロールコーター、カーテンコーター、ショートドゥエルコーター、グラビアコーター、フレキソグラビアコーター、サイズプレス等の各種装置をオンマシン又はオフマシンで使用することができる。
【００３４】
本発明においては、各層を塗工する前または塗工した後に、マシンカレンダー、スーパーカレンダー、ソフトカレンダー等のカレンダー装置で表面処理することも可能であり、それにより一層光沢度は向上する。しかし、カレンダー処理に当たっては、特に光沢層については、ポリマー微粒子を溶融して皮膜化させることのない（つまり、粒子間の隙間が消失しないように）圧力や温度を選択することが重要となる。本発明においては、光沢層表面に４０℃以下でかつ常温以上でカレンダー処理を行うことが好ましい。従って、カレンダー処理時の温度を特に管理しなければ、その周囲の温度（常温）となるし、４０℃以下でかつ常温以上の所定温度に管理してもよい。なお、カレンダー処理を行うと、インクジェット記録媒体のインク吸収性が劣る傾向になること、及び、本発明のインクジェット記録媒体においては、インク受理層上にカチオン性ポリマーの分散物を塗工・乾燥した時点で高い光沢性を有するのでカレンダー処理は必要ではなく、むしろカレンダー処理を行わない方がインク吸収性の優れたインクジェット記録媒体を得ることができるため、好ましい。
【００３５】
本発明により、高い光沢性と良好なインク吸収性を有すると共に、発色性及び色再現性にも優れた良好な画像品質を有するインクジェット記録媒体が得られる理由は定かではないが、以下のように推定される。すなわち、スチレン及びメチルメタクリレートを主成分として共重合させることによってポリマーのガラス転移温度が室温に比べて十分に高くなるので、塗工層を乾燥した時点では、共重合体ポリマーは粒子形状を維持したままインク受理層上に存在し、該粒子同士が点接着して空隙を有する層構造となるため、その空隙からインクの浸透が図られると推定される。更に、高い比率でスチレン単量体を共重合させることにより、より大きな光沢向上効果が得られる。また、水溶性の(メタ)アクリルアミドを共重合させているので、粒子表面に親水性官能基が存在し、インク媒体の該粒子間への浸透が速やかに行われることとなる。更に、前記三級アミン若しくは四級アンモニウム塩を有するカチオン性単量体を共重合させ、しかも重合時にカチオン性若しくはノニオン性の乳化剤、及びカチオン系重合開始剤を使用することにより、粒子表面に多数のカチオン性官能基を有するポリマー分散物が合成できる。これによって、アニオン性の染料分子のみを該粒子とインク受理層の境界付近に効率良く定着させることが可能とり、発色性及び色再現性に優れた画像が得られると推定される。
【００３６】
一方、コロイダルシリカの粒子径は非常に小さいため、インク受理層表面は非常に平滑なものとなる。さらに該インク受理層上に塗布されたカチオン性ポリマー粒子の平均粒子径は１００〜２００ｎｍ程度と極めて小さいので、可視光の低波長領域の光を殆ど散乱させることがない。これにより、光の乱反射が抑止され、高い光沢性を有するインクジェット記録媒体を得ることができる。
【００３７】
［実施例］
以下、実施例により本発明を更に詳述するが、本発明はこれらによって限定されるものではない。また、実施例において示す「部」及び「％」は、特に明示しない限り重量部及び重量％を示す。
【００３８】
＜カチオン性ポリマー微粒子の分散物：合成例１＞
攪拌機、滴下槽及び温度計を具備した反応容器に、水３１０部と３０％オクタデシルトリメチルアンモニウムクロライド（カチオンＡＢ:日本油脂（株）製の商品名、カチオン性乳化剤（反応には寄与しないもの））９部、５０％アクリルアミド水溶液３２部、チオグリコール酸１部、８０％メタクリロイルオキシエチルトリメチルアンモニウムクロライド１４部、スチレン８６部、及びメチルメタクリレート４６部を仕込んで混合し、窒素ガスを吹き込みながら昇温し６０℃とした。次いで、４％の２,２−アゾビス−２−アミジノプロパンジハイドロクロライド（V−５０：和光純薬（株）製の商品名）水溶液１２部を加えて重合を開始した。発熱重合し、８５℃に１時間保った後、４％の２,２−アゾビス−２−アミジノプロパンジハイドロクロライド水溶液２部を加えて８０℃で２時間保ち重合を終了した。水で希釈し、固形分濃度２８％で粘度１０mPa・ｓ、平均粒子径１４０ｎｍ、ガラス転移温度１０３℃のカチオン性ポリマー微粒子の分散物を得た。
【００３９】
＜カチオン性ポリマー微粒子分散物：合成例２＞
攪拌機、温度計を具備した反応容器に水３３０部と酢酸６．５部、３０％セチルトリメチルアンモニウムクロライド（コータミン６０W：花王（株）製の商品名、カチオン性乳化剤）６．４部、５０％アクリルアミド水溶液１６部、N,N−ジメチルアミノエチルメタクリレート１６部、チオグリコール酸１部、スチレン６４部、メチルメタクリレート６１部、ｎ−ブチルアクリレート１１部を仕込み混合し、窒素ガスを吹き込みながら昇温し６０℃とした中に６％の２,２−アゾビス−２−アミジノプロパンジハイドロクロライド（V−５０：和光純薬（株）製の商品名）水溶液４．２部を加えて重合を開始した。発熱重合で８５℃に１時間保った後、３％の２,２−アゾビス−２−アミジノプロパンジハイドロクロライド水溶液３．７部を加えて８０℃で１時間攪拌した。その後冷却して水で希釈し、固形分濃度３０％で粘度１６０mPa・ｓ、平均粒子径１４０ｎｍ、ガラス転移温度７７℃のカチオン性ポリマー微粒子の分散物を得た。
【００４０】
＜カチオン性ポリマー微粒子分散物：合成例３＞
攪拌機、滴下槽及び温度計を具備した反応容器に、水３００部と酢酸０．５部、３０％セチルトリメチルアンモニウムクロライド（コータミン６０Ｗ:花王（株）製の商品名、カチオン性乳化剤）９部、５０％アクリルアミド水溶液１６部、チオグリコール酸１部、及び８０％メタクリロイルオキシエチルトリメチルアンモニウムクロライド２０部を仕込んで混合し、窒素ガスを吹き込みながら昇温し８０℃とした中に、スチレン７８部、及びメチルメタクリレート４２部、ｎブチルアクリレート１６部の混合物１３６部を２時間かけて滴下仕込みした。同時に、４％の２,２−アゾビス−２−アミジノプロパンジハイドロクロライド（V−５０：和光純薬（株）製の商品名）水溶液１６部を加えて滴下仕込みした。その後、８５℃に２時間保った後、４％の２,２−アゾビス−２−アミジノプロパンジハイドロクロライド水溶液２部を加えて８０℃で２時間保ち重合を終了した。水で希釈し、固形分濃度３３％で粘度１８mPa・ｓ、平均粒子径１２０ｎｍ、ガラス転移温度７５℃のカチオン性ポリマー微粒子の分散物を得た。
【００４１】
＜カチオン性ポリマー微粒子分散物：合成例４＞
攪拌機、滴下槽及び温度計を具備した反応容器に、水３１０部と３０％ラウリルトリメチルアンモニウムクロライド（カチオンＢＢ:日本油脂（株）製の商品名、カチオン性乳化剤）６．４部、５０％アクリルアミド水溶液２５．６部、チオグリセロール０．７部、６０％メタクリロイルオキシエチルジメチルベンジルアンモニウムクロライド４０部、スチレン５５部、及びメチルメタクリレート６８部を仕込んで混合し、窒素ガスを吹き込みながら昇温し６０℃とした中に、４％の２,２−アゾビス−２−アミジノプロパンジハイドロクロライド（V−５０：和光純薬（株）製の商品名）水溶液１２部を加えて重合を開始した。発熱重合し、８５℃に１時間保った後、４％の２,２−アゾビス−２−アミジノプロパンジハイドロクロライド水溶液２部を加えて８０℃で２時間保ち重合を終了した。水で希釈し、固形分濃度２６％で粘度２２mPa・ｓ、平均粒子径１５０ｎｍ、ガラス転移温度９８℃のカチオン性ポリマー微粒子の分散物を得た。
【００４２】
＜ポリマー微粒子の分散物：比較合成例１＞
攪拌機、滴下槽及び温度計を具備した反応容器に、水３００部、アニオン性の反応性乳化剤としてアリルノニルフェノールポリオキシエチレンオキシド（ＥＯ付加１０モル）付加硫酸エステルアンモニウム（アクアロンＨＳ−１０：第一工業製薬（株）製の商品名）９部、５０％アクリルアミド水溶液２５部、水溶性連鎖移動剤としてチオグリコール酸1部を混合した。窒素ガスを吹き込みながら７５℃に昇温して、スチレン１４０部、メタクリル酸メチル８６部、アクリル酸エチル１０部、アクリル酸１部の混合物を２時間かけて滴下した。同時に、２％過硫酸アンモニウム水溶液２５部を２時間１５分かけて滴下した。次いで、８５℃で２時間保持して重合を終了させ、アンモニア水を加えてｐＨ８．０に中和し、固形分濃度３８％、粘度１１０ｍＰａ・ｓ、平均粒子径８２ｎｍ、ガラス転移温度９７℃のアニオン性ポリマー微粒子の分散物を得た。
【００４３】
＜カチオン性ポリマー微粒子の分散物：比較合成例２＞
攪拌機、滴下槽及び温度計を具備した反応容器に、水３１０部と３０％ラウリルトリメチルアンモニウムクロライド（カチオンＢＢ:日本油脂（株）製の商品名、カチオン性乳化剤）６．４部、５０％アクリルアミド水溶液２５．６部、チオグリセロール０．７部、６０％メタクリロイルオキシエチルジメチルベンジルアンモニウムクロライド４０部、スチレン５５部、ジビニルベンゼン（架橋性を有する単量体）１０部及びメチルメタクリレート６８部を仕込んで混合し、窒素ガスを吹き込みながら昇温し６０℃とした中に、４％の２,２−アゾビス−２−アミジノプロパンジハイドロクロライド（V−５０：和光純薬（株）製の商品名）水溶液１２部を加えて重合を開始した。発熱重合し、８５℃に１時間保った後、４％の２,２−アゾビス−２−アミジノプロパンジハイドロクロライド水溶液２部を加えて８０℃で２時間保ち重合を終了した。水で希釈し、固形分濃度２９％で粘度１５mPa・ｓ、平均粒子径１３０ｎｍ、ガラス転移温度９８℃のカチオン性ポリマー微粒子の分散物を得た。
【実施例１】
【００４４】
支持体
広葉樹漂白クラフトパルプ１００％を叩解して濾水度を３５０ｍｌに調整したパルプに、炭酸カルシウム１５部、カチオン化澱粉１部、アニオン化ポリアクリルアミド０．３部、及びアルキルケテンダイマー０．５部を添加し、長網抄紙機で抄造乾燥した後マシンカレンダー処理を行い、坪量１５７ｇ／ｍ2の支持体を製造した。
アンダー層
合成非晶質シリカ（ファインシールＸ−３７Ｂ：トクヤマ（株）製の商品名）１００部、ポリビニルアルコール（ＰＶＡ−１１７：クラレ（株）製の商品名）４０部、スチレンブタジエンラテックス（ＬＸ４３８Ｃ：日本ゼオン（株）製の商品名）５部、サイズ剤（ポリマロン３６０：荒川化学工業（株）製の商品名）２部、及び染料定着剤（ＰＡＳ−Ｈ−１０Ｌ：日東紡績（株）製の商品名）５部に希釈水を加え攪拌して、固形分濃度２０％の塗料を得た。この塗料を、バーブレードコーターを用いて前記支持体上に塗工量が１２ｇ／ｍ２となるように塗工し、アンダー層を塗工層として有する塗工紙を得た。
インク受理層
上記のようにして製造したアンダー層用塗料を塗工した支持体に、平均一次粒子径１５ｎｍ、平均二次粒子径７０ｎｍで、２次粒子の形状が鎖状であるコロイダルシリカ（スノーテックス  ＵＰ：日産化学工業（株）製の商品名）１００部、染料定着剤（ＰＦ７００：昭和高分子（株）製の商品名）６部を混合してなる固形分濃度１６％の塗料を、バーブレードコーターを用いて塗工量が５ｇ／ｍ２となるように塗工した。
光沢層
前記合成例１で調製したカチオン性ポリマー分散物を固形分換算で１００部、及びポリビニルアルコール（ＰＶＡ−２１７：クラレ（株）製の商品名）２部を添加してなる固形分１０％の塗工液を、バーブレードコーターを用い、前記インク受理層が形成された支持体上に塗工量が１．０ｇ／ｍ２となるよう塗工乾燥し、実施例１のインクジェット記録媒体を得た。
【実施例２】
【００４５】
支持体
実施例１と全く同様にして、支持体を製造した。
アンダー紙
実施例１と全く同様にして、アンダー層を塗工層として有する塗工紙を得た。
インク受理層
実施例１で使用したコロイダルシリカの代わりに、平均一次粒子径４０ｎｍ、平均二次粒子径１５０ｎｍで、２次粒子の形状がパールネックレス状（鎖状のものが環形になったもの）であるコロイダルシリカ（スノーテックス  ＰＳ−Ｌ：日産化学工業（株）製の商品名）を使用した他は、実施例１と全く同様にしてインク受理層を形成した。
光沢層
実施例１で使用したカチオン性ポリマー分散物の代わりに前記合成例２で調製したカチオン性ポリマー分散物を使用した他は、実施例１と全く同様にして実施例２のインクジェット記録媒体を得た。
【実施例３】
【００４６】
支持体
実施例１と全く同様にして、支持体を製造した。
インク受理層
塗工量を１０ｇ／ｍ２としたこと以外は、実施例１と全く同様にしてインク受理層を形成した。なお、アンダー層は設けなかった。
光沢層
実施例１と全く同様にして光沢層を塗工し、実施例３のインクジェット記録媒体を得た。
【実施例４】
【００４７】
実施例１と全く同様にしてインクジェット記録媒体を製造し、気温３０℃の室内でソフトニップカレンダーマシンにより、線圧９８０．７Ｎ／ｃｍでカレンダー処理を行い、実施例４のインクジェット記録媒体を得た。このとき、光沢層に接するカレンダーロールの表面温度は３５℃であった。
【実施例５】
【００４８】
実施例１と全く同様にしてインクジェット記録媒体を製造し、ソフトニップカレンダーマシンにより、線圧９８０．７Ｎ／ｃｍでカレンダー処理を行い、実施例４のインクジェット記録媒体を得た。このとき、光沢層に接するカレンダーロール自体を加熱し、表面温度は４５℃とした。
【実施例６】
【００４９】
支持体
実施例１と全く同様にして、支持体を製造した。
アンダー紙
合成非晶質シリカ（ニップジェルＡＹ−６０１：日本シリカ（株）製の商品名）１００部、ポリビニルアルコール（ＰＶＡ−１１７：クラレ（株）製の商品名）２０部、エチレン酢酸ビニル（ＢＥ７０００：中央理化工業（株）製の商品名）１５部、サイズ剤（ＳＳ３３５：日本ＰＭＣ（株）製の商品名）２部、染料定着剤（ユニセンスＣＰ−１０３：センカ（株）製の商品名）５部に希釈水を加え混合、攪拌して、固形分濃度２０％の塗料を得た。この塗料を、バーブレードコーターを用いて前記支持体上に塗工量が１２ｇ／ｍ２となるように塗工し、アンダー層を塗工層として有する塗工紙を得た。
インク受理層
実施例１で使用したコロイダルシリカの代わりに、平均一次粒子径３０ｎｍ、平均二次粒子径２８０ｎｍで、２次粒子の形状が房状であるコロイダルシリカ（スノーテックス  ＨＳ−Ｍ−２０：日産化学工業（株）製の商品名）を使用したことの他は、実施例１と全く同様にしてインク受理層を形成した。
光沢層
実施例１で使用したカチオン性ポリマー分散物の代わりに前記合成例３で調製したカチオン性ポリマー分散物を使用し、光沢層の塗工量を２．０ｇ／ｍ２とした以外は、実施例１と全く同様にして実施例６のインクジェット記録媒体を得た。
【実施例７】
【００５０】
支持体
広葉樹漂白クラフトパルプ１００％を叩解して濾水度を４００ｍｌに調整したパルプに、タルク１０部、硫酸アルミニウム１．０部、合成サイズ剤０．１部及び歩留まり向上剤０．３部を添加し、公知の長網抄紙機で抄造乾燥した後、サイズプレスによって片面当たりの乾燥塗工量が１．５ｇ／ｍ２となるように酸化澱粉を塗工し、乾燥後マシンカレンダー処理を行い、坪量１００ｇ／ｍ2の支持体を製造した。
アンダー紙
合成非晶質シリカ（サイロジェットＰ−４０９：グレース（株）製の商品名）１００部、ポリビニルアルコール（ＰＶＡ−１１７：クラレ（株）製の商品名）３０部、スチレンブタジエンラテックス（ＬＸ４３８Ｃ：日本ゼオン（株）製の商品名）５部、エチレン酢酸ビニル（ＢＥ７０００：中央理化工業（株）製の商品名）５部、サイズ剤（ポリマロン３６０：荒川化学工業（株）製の商品名）２部、染料定着剤（ポリフィックス７００：昭和高分子（株）製の商品名）８部に希釈水を加え混合、攪拌して、固形分濃度２０％の塗料を得た。この塗料を、バーブレードコーターを用いて前記支持体上に塗工量が１２ｇ／ｍ２となるように塗工し、アンダー層を塗工層として有する塗工紙を得た。
インク受理層
上記のようにして製造したアンダー層用塗料を塗工した支持体に、実施例１で使用したコロイダルシリカの代わりに、平均一次粒子径５０ｎｍの球状コロイダルシリカにアクリルエマルジョンで被覆したコア−シェル型の無機・有機ハイブリッドエマルジョン（＃８５：水谷ペイント（株）製の商品名）を使用し、染料定着剤（エポミンＰ１０００：日本触媒（株）製の商品名）６部を混合してなる固形分濃度１６％の塗料を、バーブレードコーターを用いて塗工量が３ｇ／ｍ２となるように塗工した。
光沢層
実施例１で使用したカチオン性ポリマー分散物の代わりに、前記合成例４で調製したカチオン性ポリマー分散物を使用したことの他は、実施例１と全く同様にして光沢層を形成し、実施例７のインクジェット記録媒体を得た。
【００５１】
＜比較例１＞
光沢層として、実施例１で用いたカチオン性ポリマー分散物の代わりに、前記比較合成例１で調製したアニオン性ポリマー分散物を使用したことの他は、実施例１と全く同様にして比較例１のインクジェット記録媒体を得た。
【００５２】
＜比較例２＞
光沢層として、実施例１で用いたカチオン性ポリマー分散物の代わりに、カチオン性アクリル樹脂エマルジョン（ＮＭ−１１：三井化学（株）製の商品名）（平均粒子径１２５ｎｍ、ガラス転移温度−２０度、単量体としてスチレンは含有されない）を使用したことの他は、実施例１と全く同様にして比較例２のインクジェット記録媒体を得た。
【００５３】
＜比較例３＞
支持体及びアンダー紙
実施例１で用いたのと同一の支持体上に、実施例と全く同様にしてアンダー層を形成し、アンダー紙を得た。
インク受理層
実施例１で用いたアンダー層用塗料をインク受理層用の塗工液とし、バーブレードコーターを用いて乾燥塗工量が５ｇ／ｍ２となるようにインク受理層を形成した。なお、アンダー層用塗料中の合成非晶質シリカ（ファインシールＸ−３７Ｂ：トクヤマ（株）製の商品名）は、粒子径が３７００ｎｍ（３．７μｍ）である。
光沢層
上記インク受理層上に、実施例１と全く同様にして光沢層を塗工し、比較例３のインクジェット記録媒体を得た。
【００５４】
＜比較例４＞
実施例１と全く同様にしてインクジェット記録媒体を製造し、ソフトニップカレンダーマシンにより、線圧９８０．７Ｎ／ｃｍでカレンダー処理を行い、比較例４のインクジェット記録媒体を得た。このとき、光沢層に接するカレンダーロールを加熱し、その表面温度は８０℃となるように調整した。得られたインクジェット記録媒体の光沢層表面を反射型電子顕微鏡で観察した結果、光沢層は一様な面からなる樹脂層となっており層に空隙はなく、粒子形状を保ったままのポリマー微粒子を観察することはできなかった。
【００５５】
＜比較例５＞
光沢層として、実施例１で用いたカチオン性ポリマー分散物の代わりに、前記比較合成例２で調製したカチオン性ポリマー分散物を使用したことの他は、実施例１と全く同様にして比較例５のインクジェット記録媒体を得た。
【００５６】
＜評価方法＞
上記実施例１〜７及び比較例１〜５で得られた記録媒体の評価を、以下に示す方法により行った。各項目において、△以上の評価であれば実用に供することができる。
またインクジェット印字評価については、インクジェットプリンターとしてセイコーエプソン社製のＰＭ−９０００Ｃを用いて、「半光沢フォト紙・きれい」モードで印字を行った。
【００５７】
＜白紙光沢度＞
塗工表面の７５°鏡面光沢度をＪＩＳ−Ｐ−８１４２に準拠して、村上色彩技術研究所製鏡面光沢度計（ＧＭ−２６  ｆｏｒ  ７５°）により測定した。
○：７５°鏡面光沢度が６０％以上である。
△：７５°鏡面光沢度が５０％以上６０％未満である。
×：７５°鏡面光沢度が５０％未満である。
【００５８】
＜発色性＞
表計算ソフト「エクセル」で作製したブラック、シアン、マゼンダ、イエローのベタ画像を印字した。印字後のサンプルを恒温恒湿室にて２４時間放置した後、マクベス濃度計（ＲＤ９１５、Ｍａｃｂｅｔｈ社製）を用いて各色の印字濃度を測定し、得られた測定値の合計により評価した。
○：４色合計が７．５以上である。
△：４色合計が７．０以上７．５未満である。
×：４色合計が７．０未満である。
【００５９】
＜インク吸収＞
レッドとグリーン、及びブルーとイエローの各ベタ画像をそれぞれ隣り合わせにして印字して、その境界部の滲み具合を総合評価した。
○：境界部が鮮明でかつ滲みが認められない。
△：境界部がやや不鮮明だが滲みは認められない。
×：境界部が不鮮明で滲みが認められる。
【００６０】
＜色再現性＞
シアン、マゼンタ、イエロー、レッド、グリーン、ブラック各色のベタ印字部を、分光色差計（ＮＦ９９９、日本電色工業（株）製）を用いてＤ６５光源、１０度視野で測定し、Ｌ＊ａ＊ｂ＊値を求めた。各色（６色）についてａ＊値をｘ軸上に、ｂ＊値をｙ軸上にプロットし、各６色の点を頂点とする六角形の面積（Ｇａｍｕｔ面積）を測定し、この値により評価した。なお、通常、レッドはｘ−ｙ軸上の第１象限に、イエローはｙ軸上（ｙ＞０）に、グリーンは第２象限に、シアンは第３象限に、ブルーはｙ軸上（ｙ＜０）に、マゼンタは第４象限に位置する。
○：Ｇａｍｕｔ面積が１１０００以上である。
△：Ｇａｍｕｔ面積が９０００以上１１０００未満である。
×：Ｇａｍｕｔ面積が９０００未満である。
【００６１】
評価の結果は表１に示した通りである。表中の○又は△の評価であれば実用上問題ないが、×の評価では実用上問題がある。なお、表中の「シリカの平均粒子径」は、凝集して二次粒子となっている場合は二次粒子径を値とし、一次粒子（コア／シェル構造）のまま凝集しない場合は一次粒子径を値とした。
【００６２】
【表１】
2004175113.tif 000003
【００６３】
表１から明らかなように、各実施例のインクジェット記録媒体は、高い光沢性と良好なインク吸収性を有すると同時に、発色性及び色再現性が特に優れている。
一方、アニオン性のポリマー微粒子分散物を光沢層に用いた比較例１の場合、白紙光沢度とインク吸収性は良好であるが、特に色再現性に劣っていることが分かる。
また、スチレンを含有しないポリマー微粒子分散物を光沢層に用いた比較例２や、高温のカレンダー処理を行った比較例４においては、白紙光沢度は比較的良好であるものの、光沢層乾燥時やカレンダー処理時に、熱で光沢層のポリマー同士が溶融・皮膜化したために粒子間空隙が殆どなく、特にインク吸収性が劣る結果となった。
更に、コロイダルシリカを主成分とするインク受理層を設けなかった比較例３の場合には、白紙光沢度はかなり低く、さらに発色性、色再現性も劣る。このことから、平均粒子径が５００ｎｍ以上の無機微粒子をインク受理層に用いた場合は、光沢層表面に明瞭な凹凸が存在し高光沢のインクジェット記録媒体は得られないことが分かる。
また、架橋したポリマー微粒子を光沢層に用いた比較例５においては、光沢性以外の評価は全て目標とする品質を得ることができなかった。この理由は明確でないが、ポリマー微粒子の表面物性が、架橋により変化することによると考えられる。
以上の結果は、本発明により得られたインクジェット記録媒体が、高い光沢性や良好なインク吸収性を有するだけでなく発色性及び色再現性にも優れた良好な画像品質を得られるものであることを実証するものである。
【図面の簡単な説明】
【００６４】
【図１】本発明の光沢層の一例を示す写真を示す図である。
【図１】
2004175113.tif 000004